(57)【要約】【課題】  小さなメモリ容量で画像の表示をより適切に行なう。【解決手段】  画像全体に対する表示領域を変更する際に、変更後の表示領域のうち変更前の表示領域と重複する重複領域についてはＶＲＡＭ４２の現在の表示用画像から抽出して用いると共に変更前の表示領域と重複しない非重複領域についてはＳＤＲＡＭ３６に予め記憶されたリサイズ画像から抽出して用いて変更後の表示領域に対応する表示用画像を生成する。ＶＲＡＭ４２やＳＤＲＡＭ３６は元画像が記憶された外部記憶装置などと比較して高速にアクセスすることができるから変更後の表示領域に対応する表示用画像を比較的高速に生成して表示することができる。この結果、小さなメモリ容量で画像の表示をより適切に行なうと共に画像を表示する際に処理速度の低下を抑制しながらより高解像度の画像を表示することができる。【選択図】        図１２
2005231050.tif 000002
【特許請求の範囲】
【請求項１】
接続された表示機器に所定の記憶媒体に記憶された元画像を表示出力する画像表示出力装置であって、
前記元画像のサイズを小さくしたリサイズ画像を記憶するリサイズ画像記憶手段と、
前記元画像の全領域のうち前記表示機器に表示出力する表示領域に対応する表示用画像を記憶する表示用画像記憶手段と、
該表示用画像記憶手段に記憶されている表示用画像を前記表示機器に表示出力する表示出力手段と、
前記表示領域の変更に係る所定の指示がなされたときに、前記表示用画像記憶手段に記憶されている変更前の表示領域に対応する変更前表示用画像と前記リサイズ画像とを用いて変更後の表示領域に対応する変更後表示用画像を生成すると共に前記表示用画像記憶手段に前記表示用画像として記憶させる領域変更時制御手段と、
を備える画像表示出力装置。
【請求項２】
前記領域変更時制御手段は、前記変更後の表示領域のうち前記変更前の表示領域と重複する重複領域については前記変更前表示用画像の該重複領域に相当する部分を用いると共に前記変更前の表示領域と重複しない非重複領域については前記リサイズ画像の該非重複領域に相当する部分を用いて前記変更後表示用画像を生成する手段である請求項１記載の画像表示出力装置。
【請求項３】
前記領域変更時制御手段は、前記表示領域の位置の変更に係る所定の指示がなされたときには、前記重複領域については前記変更前表示用画像の該重複領域に相当する部分を前記変更後の表示領域に適合する位置となるよう調整して用いると共に前記非重複領域については前記リサイズ画像の該非重複領域に相当する部分を前記変更後の表示領域に適合するサイズとなるよう調整して用いて前記変更後表示用画像を生成する手段である請求項２記載の画像表示出力装置。
【請求項４】
前記領域変更時制御手段は、前記表示領域の大きさの変更に係る所定の指示がなされたときには、前記重複領域については前記変更前表示用画像の該重複領域に相当する部分を前記変更後の表示領域に適合するサイズとなるよう調整して用いると共に前記非重複領域については前記リサイズ画像の該非重複領域に相当する部分を前記変更後の表示領域に適合するサイズとなるよう調整して用いて前記変更後表示用画像を生成する手段である請求項２または３記載の画像表示出力装置。
【請求項５】
前記領域変更時制御手段により前記表示用画像記憶手段に記憶された表示用画像を所定のタイミングで前記元画像を用いて更新する表示用画像更新手段を備える請求項１ないし４いずれか記載の画像表示出力装置。
【請求項６】
前記所定の記憶媒体を装着可能な記憶媒体装着手段を備える請求項１ないし５いずれか記載の画像表示出力装置。
【請求項７】
前記表示機器はテレビ受像機である請求項１ないし６いずれか記載の画像表示出力装置。
【請求項８】
請求項１ないし７いずれか記載の画像表示出力装置を備え、前記所定の記憶媒体に記憶された元画像を印刷する印刷実行手段を備える印刷装置。
【請求項９】
請求項８記載の印刷装置であって、
操作者の操作に基づく操作情報を光信号に変換して送信する操作信号送信手段と、
該操作信号送信手段からの光信号を受光する受光部と該受光部で受光した光信号に基づいて前記操作情報を解析する情報解析部とを有する情報受信解析手段と、
該情報受信解析手段により解析された操作情報に基づいて前記画像表示出力装置と前記印刷実行手段とを制御する操作制御手段と、
を備える印刷装置。
【請求項１０】
請求項８または９記載の印刷装置であって、
前記操作信号送信手段を備える操作信号送信機と、
前記画像表示出力装置と前記印刷実行手段と前記情報受信解析手段と前記操作制御手段とを単一の筐体に備える印刷装置本体と、
からなる印刷装置。
【請求項１１】
前記印刷装置本体は、外観が高さが２０ｃｍ以下で幅が６０ｃｍ以下で奥行きが６０ｃｍ以下の略箱形形状に形成されてなる請求項１０記載の印刷装置。
【請求項１２】
前記印刷装置本体は、側面の一方を正面とし、該正面から印刷用記録剤カートリッジを着脱することを特徴とする請求項１０または１１記載の印刷装置。
【請求項１３】
前記印刷装置本体は、側面の一方を正面とし、該正面から給排紙することを特徴とする請求項１０ないし１２いずれか記載の印刷装置。
【請求項１４】
接続された表示機器に所定の記憶媒体に記憶された元画像を表示出力すると共にデータを記憶する記憶手段を備える画像表示出力装置の制御方法であって、
（ａ）前記元画像のサイズを小さくしたリサイズ画像と、前記元画像の全領域のうち前記表示機器に表示出力する表示領域に対応する表示用画像とを前記記憶手段に記憶し、
（ｂ）前記記憶手段に記憶されている表示用画像を前記表示機器に表示出力し、
（ｃ）前記表示領域の変更に係る所定の指示がなされたときに、前記記憶手段に記憶されている変更前の表示領域に対応する変更前表示用画像と前記リサイズ画像とを用いて変更後の表示領域に対応する変更後表示用画像を生成すると共に前記記憶手段に前記表示用画像として記憶させる、
画像表示出力装置の制御方法。
【発明の詳細な説明】
【技術分野】
【０００１】
本発明は、画像表示出力装置およびこれを備える印刷装置、画像表示出力装置の制御方法に関し、詳しくは、接続された表示機器に所定の記憶媒体に記憶された元画像を表示出力する画像表示出力装置およびこれを備える印刷装置、こうした画像表示出力装置の制御方法に関する。
【背景技術】
【０００２】
従来、この種の画像表示出力装置としては、ストレージから読み込んだ画像を家庭用のテレビ画面に表示すると共に所定の用紙に印刷するプリンタなどが提案されている（例えば、非特許文献１参照）。こうした装置では、テレビ画面に画像を表示する際には、画像の一部分を拡大して表示したり拡大表示する位置を変更して表示したりすることにより、操作者が画像の詳細を確認できるようになっている。
【非特許文献１】松下電器産業株式会社、“Ｐａｎａｓｏｎｉｃ  ホームフォトプリンターＳＶ−ＡＰ１０”、［online］、［平成１６年１月１９日検索］、インターネット＜ＵＲＬ：http://prodb.matsushita.co.jp/products/panasonic/SV/SV-AP10.html，http://prodb.matsushita.co.jp/products/panasonic/SV/SV-AP10_s.html＞
【発明の開示】
【発明が解決しようとする課題】
【０００３】
しかしながら、こうした印刷装置で画像を表示する場合には、一般的なパーソナルコンピュータなどで画像を表示する場合と比較して使用できるメモリの容量が小さい場合が多く、限られたメモリ容量の中で画像ファイルの読み込みや表示などの処理を行なわなければならない。一方、デジタルスチルカメラやカメラ付き携帯電話などの高性能化に伴ってこうした印刷装置で扱う画像のサイズは大きくなる傾向にあり、必要なメモリ容量が大きくなってしまったり処理速度が低下してしまったりする。したがって、大きなサイズの画像を限られたメモリ容量の中でより適切に表示することが望まれている。
【０００４】
本発明の画像表示出力装置およびこれを備える印刷装置、画像表示出力装置の制御方法は、小さなメモリ容量で画像の表示をより適切に行なうことを目的の一つとする。また、本発明の画像表示出力装置およびこれを備える印刷装置、画像表示出力装置の制御方法は、画像を表示する際に処理速度の低下を抑制しながらより高解像度の画像を表示することを目的の一つとする。
【課題を解決するための手段】
【０００５】
本発明の画像表示出力装置およびこれを備える印刷装置、画像表示出力装置の制御方法は、上述の目的の少なくとも一部を達成するために以下の手段を採った。
【０００６】
本発明の画像表示出力装置は、
接続された表示機器に所定の記憶媒体に記憶された元画像を表示出力する画像表示出力装置であって、
前記元画像のサイズを小さくしたリサイズ画像を記憶するリサイズ画像記憶手段と、
前記元画像の全領域のうち前記表示機器に表示出力する表示領域に対応する表示用画像を記憶する表示用画像記憶手段と、
該表示用画像記憶手段に記憶されている表示用画像を前記表示機器に表示出力する表示出力手段と、
前記表示領域の変更に係る所定の指示がなされたときに、前記表示用画像記憶手段に記憶されている変更前の表示領域に対応する変更前表示用画像と前記リサイズ画像とを用いて変更後の表示領域に対応する変更後表示用画像を生成すると共に前記表示用画像記憶手段に前記表示用画像として記憶させる領域変更時制御手段と、
を備えることを要旨とする。
【０００７】
この本発明の画像表示出力装置では、リサイズ画像や表示用画像を記憶すると共にこの表示用画像を表示機器に表示出力し、表示領域の変更に関する指示がなされたときには、現在記憶されている表示用画像とリサイズ画像とを用いて表示領域を変更した後の表示用画像を生成して記憶する。即ち、表示領域を変更するときに、現在の表示用画像とリサイズ画像とを用いて表示領域を変更した後の表示用画像を生成して表示機器に表示出力することができる。したがって、元画像を読み込んで表示用画像を生成する場合と比較して処理速度が向上すると共に、リサイズ画像のみを用いて表示用画像を生成する場合と比較して表示用画像を高解像度にすることができる。この結果、小さなメモリ容量で画像の表示をより適切に行なうことができる。ここで「表示機器」としては、テレビ受像機などを挙げることができる。
【０００８】
こうした本発明の画像表示出力装置において、前記領域変更時制御手段は、前記変更後の表示領域のうち前記変更前の表示領域と重複する重複領域については前記変更前表示用画像の該重複領域に相当する部分を用いると共に前記変更前の表示領域と重複しない非重複領域については前記リサイズ画像の該非重複領域に相当する部分を用いて前記変更後表示用画像を生成する手段であるものとすることもできる。こうすれば、重複領域は現在の表示用画像を用いると共に非重複領域はリサイズ画像を用いて変更後表示用画像を生成することができる。
【０００９】
この態様の本発明の画像表示出力装置において、前記領域変更時制御手段は、前記表示領域の位置の変更に係る所定の指示がなされたときには前記重複領域については前記変更前表示用画像の該重複領域に相当する部分を前記変更後の表示領域に適合する位置となるよう調整して用いると共に前記非重複領域については前記リサイズ画像の該非重複領域に相当する部分を前記変更後の表示領域に適合するサイズとなるよう調整して用いて前記変更後表示用画像を生成する手段であるものとしたり、前記表示領域の大きさの変更に係る所定の指示がなされたときには前記重複領域については前記変更前表示用画像の該重複領域に相当する部分を前記変更後の表示領域に適合するサイズとなるよう調整して用いると共に前記非重複領域については前記リサイズ画像の該非重複領域に相当する部分を前記変更後の表示領域に適合するサイズとなるよう調整して用いて前記変更後表示用画像を生成する手段であるものとすることもできる。こうすれば、表示領域の位置や大きさを変更するときに、現在の表示用画像やリサイズ画像を用いて変更後表示用画像を生成することができる。
【００１０】
また、本発明の画像表示出力装置において、前記領域変更時制御手段により前記表示用画像記憶手段に記憶された表示用画像を所定のタイミングで前記元画像を用いて更新する表示用画像更新手段を備えるものとすることもできる。こうすれば、所定のタイミングで表示用画像全体を高解像度の画像に更新することができる。即ち、表示用画像全体のうちリサイズ画像を用いて生成した低解像度の部分を高解像度の画像に更新することができる。
【００１１】
さらに、本発明の画像表示出力装置において、前記所定の記憶媒体を装着可能な記憶媒体装着手段を備えるものとすることもできる。
【００１２】
本発明の印刷装置は、上述したいずれかの態様の本発明の画像表示出力装置、即ち、基本的には、接続された表示機器に所定の記憶媒体に記憶された元画像を表示出力する画像表示出力装置であって、前記元画像のサイズを小さくしたリサイズ画像を記憶するリサイズ画像記憶手段と、前記元画像の全領域のうち前記表示機器に表示出力する表示領域に対応する表示用画像を記憶する表示用画像記憶手段と、該表示用画像記憶手段に記憶されている表示用画像を前記表示機器に表示出力する表示出力手段と、前記表示領域の変更に係る所定の指示がなされたときに前記表示用画像記憶手段に記憶されている変更前の表示領域に対応する変更前表示用画像と前記リサイズ画像とを用いて変更後の表示領域に対応する変更後表示用画像を生成すると共に前記表示用画像記憶手段に前記表示用画像として記憶させる領域変更時制御手段と、を備える画像表示出力装置を備え、前記所定の記憶媒体に記憶された元画像を印刷する印刷実行手段を備えることを要旨とする。
【００１３】
この本発明の印刷装置では、上述したいずれかの態様の本発明の画像表示出力装置を備えるから、本発明の画像表示出力装置が奏する効果、例えば、元画像を読み込んで表示用画像を生成する場合と比較して処理速度が向上すると共にリサイズ画像のみを用いて表示用画像を生成する場合と比較して表示用画像を高解像度にすることができる効果や小さなメモリ容量で画像の表示をより適切に行なうことができる効果、表示用画像全体のうちリサイズ画像を用いて生成した低解像度の部分を高解像度の画像に更新することができる効果などを奏することができる。
【００１４】
こうした本発明の印刷装置において、操作者の操作に基づく操作情報を光信号に変換して送信する操作信号送信手段と、該操作信号送信手段からの光信号を受光する受光部と該受光部で受光した光信号に基づいて前記操作情報を解析する情報解析部とを有する情報受信解析手段と、該情報受信解析手段により解析された操作情報に基づいて前記画像表示出力装置と前記印刷実行手段とを制御する操作制御手段と、を備えるものとすることもできる。
【００１５】
また、本発明の印刷装置において、前記操作信号送信手段を備える操作信号送信機と、前記画像表示出力装置と前記印刷実行手段と前記情報受信解析手段と前記操作制御手段とを単一の筐体に備える印刷装置本体と、からなるものとすることもできる。こうすれば、印刷装置本体から離れた場所で操作を行なうことができる。この場合、前記印刷装置本体は外観が高さが２０ｃｍ以下で幅が６０ｃｍ以下で奥行きが６０ｃｍ以下の略箱形形状に形成されてなるものとすることもできる。また、前記印刷装置本体は、側面の一方を正面とし、該正面から印刷用記録剤カートリッジを着脱することを特徴とするものとすることもできるし、該正面から給排紙することを特徴とするものとすることもできる。
【００１６】
本発明の画像表示出力装置の制御方法は、
接続された表示機器に所定の記憶媒体に記憶された元画像を表示出力すると共にデータを記憶する記憶手段を備える画像表示出力装置の制御方法であって、
（ａ）前記元画像のサイズを小さくしたリサイズ画像と、前記元画像の全領域のうち前記表示機器に表示出力する表示領域に対応する表示用画像とを前記記憶手段に記憶し、
（ｂ）前記記憶手段に記憶されている表示用画像を前記表示機器に表示出力し、
（ｃ）前記表示領域の変更に係る所定の指示がなされたときに、前記記憶手段に記憶されている変更前の表示領域に対応する変更前表示用画像と前記リサイズ画像とを用いて変更後の表示領域に対応する変更後表示用画像を生成すると共に前記記憶手段に前記表示用画像として記憶させる、
ことを要旨とする。
【００１７】
この本発明の画像表示出力装置の制御方法では、リサイズ画像や表示用画像を記憶すると共にこの表示用画像を表示機器に表示出力し、表示領域の変更に関する指示がなされたときには、現在記憶されている表示用画像とリサイズ画像とを用いて表示領域を変更した後の表示用画像を生成して記憶する。即ち、表示領域を変更するときに、現在の表示用画像とリサイズ画像とを用いて表示領域を変更した後の表示用画像を生成して表示機器に表示出力することができる。したがって、元画像を読み込んで表示用画像を生成する場合と比較して処理速度が向上すると共に、リサイズ画像のみを用いて表示用画像を生成する場合と比較して表示用画像を高解像度にすることができる。この結果、小さなメモリ容量で画像の表示をより適切に行なうことができる。ここで「表示機器」としては、テレビ受像機などを挙げることができる。
【００１８】
こうした本発明の画像表示出力装置の制御方法において、前記ステップ（ｃ）により前記記憶手段に記憶された表示用画像を所定のタイミングで前記所定の記憶媒体に記憶された元画像を用いて更新するステップを備えるものとすることもできる。こうすれば、所定のタイミングで表示用画像全体を高解像度の画像に更新することができる。即ち、表示用画像全体のうちリサイズ画像を用いて生成した低解像度の部分を高解像度の画像に更新することができる。
【発明を実施するための最良の形態】
【００１９】
次に、本発明を実施するための最良の形態を実施例を用いて説明する。
【実施例】
【００２０】
図１は、本発明の一実施例としての印刷装置２０を備える印刷システム１０の構成の概略を示す構成図であり、図２は実施例の印刷装置２０のメイン基板３０を中心として印刷システム１０の機能ブロックを示すブロック図である。実施例の印刷装置２０は、ケーブル１４を介して接続されたテレビ受像機１２と共に印刷システム１０を構成しており、印刷装置本体２２と、印刷装置本体２２を遠隔操作するための発光部９２を備えるリモートコントロールユニット（以下、リモコンと称す）９０とにより構成されている。印刷装置本体２２は、高さが５〜２０ｃｍで幅が２２〜６０ｃｍで奥行きが１０〜６０ｃｍ（実施例では高さ１５ｃｍ、幅５０ｃｍ、奥行き５０ｃｍ程度）の箱形とし、側面の一方が正面２３となるよう構成されており、この正面２３には、給排紙やインクカートリッジの着脱を正面から行なうための開口部が設けられカバー２４が取り付けられている。また、正面２３の左部には、リモコン９０から送信された光信号（赤外線光信号）を受信するための受光部２６を備える操作パネル２５が設けられており、その下部にはコンパクトフラッシュ（サンディスク株式会社の登録商標）やＳＤ（Secure Digital）メモリカード，スマートメディアなどのＰＣカード１５を装着するカードスロット２７が設けられている。
【００２１】
実施例の印刷装置２０のメイン基板３０は、図２に示すように、印刷装置２０全体を制御するメイン制御ユニット３２を中心として構成されており、処理プログラムを記憶するＲＯＭ３４、処理に必要なデータを一時的に記憶するＳＤＲＡＭ３６、操作パネル２５からの操作信号や受光部２６で受光した光信号を解析してコード化すると共にカードスロット２７に装着されたＰＣカード１５との入出力を制御するカード操作部制御ユニット３８、ＶＲＡＭ４２を用いてテレビ受像機１２への表示出力を制御するビデオチップ４０、印刷ヘッド６３を動かすキャリッジモータ６０や紙送り用のＰＦモータ６１，ポンプモータ６２などを駆動するモータドライバ４４、印刷ヘッド６３の駆動用波形を生成するヘッド用ＤＡＣ４６、デジタルスチルカメラやＣＤ−Ｒドライブなどの周辺機器１７と接続するためのホスト用ＵＳＢコネクタ４８、コンピュータ（ＰＣ）１６などと接続するためのデバイス用ＵＳＢコネクタ５０、キャリッジの位置を検出するＣＲエンコーダ６４や紙送りの位置を検出するＰＦエンコーダ６５，ＤＶＤトレーにおけるＤＶＤの有無を検出するＤＶＤトレー検出センサ６６，紙送り機構における用紙の有無を検出する用紙検出センサ６７，用紙トレーにおける用紙の有無を検出する用紙トレー検出センサ６８，カバー２４が開いているのを検出するカバーオープンセンサ６９などの各種センサの接続コネクタ、電源１９への接続コネクタなどが設けられている。これらの各ユニットやコネクタは、バスや信号ラインを介してメイン制御ユニット３２に接続されている。
【００２２】
メイン制御ユニット３２は、カード操作部制御ユニット３８を介してＰＣカード１５から入力した画像ファイルやホスト用ＵＳＢコネクタ４８を介して周辺機器１７から入力した画像ファイルなどをファイル形式に応じて展開すると共にレイアウト処理を行なって印刷イメージを作成しこの印刷イメージに対してＣＭＹＫへの色変換や２値化などの処理を行なって印刷ヘッド６３により印刷可能なデータに変換して印刷を実行したり、デバイス用ＵＳＢコネクタ５０を介してＰＣ１６から入力したプリンタ制御用コマンドと印刷データとに基づいて印刷を実行したりする。また、メイン制御ユニット３２は、こうした印刷の実行に関する処理だけでなく、印刷する画像の指定やレイアウトの設定，印刷条件の設定などの各種操作をテレビ受像機１２への画面表示と受光部２６や操作パネル２５からの操作信号の入力とにより行なう際の各種処理も実行する。
【００２３】
次に、こうして構成された実施例の印刷装置２０の動作、特に印刷しようとする画像をテレビ受像機１２へ画面表示する際の動作について説明する。図３は、ＰＣカード１５などに記憶されている画像の中から指定した画像を印刷する１コマ印刷処理の一例を示すフローチャートである。この処理は、印刷装置２０の電源が投入され所定の初期動作を行なった後やリモコン９０などのボタン操作により１コマ印刷処理の実行を指示されたときなどにメイン制御ユニット３２により実行される。
【００２４】
１コマ印刷処理では、まず、図３に示すように、カードスロット２７に装着されたＰＣカード１５に記憶されている画像ファイルを読み込んで画像の一覧表示を行なう（ステップＳ１００）。画像の一覧表示は、実施例では、図４に例示する一覧表示画面１００をテレビ受像機１２に表示出力するものとした。一覧表示画面１００は、図示するように、画像を一覧表示する一覧表示領域１０２とリモコン９０のボタン操作を説明する操作説明領域１０４とにより画面構成されている。こうした一覧表示画面１００は、ＲＯＭ３４に予め記憶された画面フレームやＰＣカード１５から読み込まれた画像ファイルのサムネイルをビデオチップ４０を介してＶＲＡＭ４２に書き込むことによりテレビ受像機１２に表示出力している。
【００２５】
そして、一覧表示された画像のいずれかにフォーカスフレームが合わせられリモコン９０の「ＯＫ」ボタンが押されると、フォーカスフレームが合わせられた画像が指定されたと判断してこの画像を１コマ表示する（ステップＳ１１０）。画像の１コマ表示は、実施例では、図５に例示する１コマ表示画面１１０をテレビ受像機１２に表示出力するものとした。１コマ表示画面１１０は、図示するように、指定された画像を表示する画像表示領域１１２とリモコン９０のボタン操作を説明する操作説明領域１１４とにより画面構成されている。画像表示領域１１２に表示される画像は、ＰＣカード１５に記憶されている画像ファイル（以下、元画像という）を所定のサイズにリサイズしてリサイズ画像としてＳＤＲＡＭ３６の所定領域に格納すると共にこのリサイズ画像をテレビ受像機１２に表示出力するためのサイズに調整して表示用画像としてＶＲＡＭ４２に書き込むことにより表示される。ここで、リサイズ画像のサイズは一般的な元画像よりも小さいサイズ（実施例では、８００×６００ピクセル）となるように設定されている。なお、リサイズ画像は予め適当なタイミング（例えば、前述した一覧表示画面１００を表示出力した後など）で生成してＳＤＲＡＭ３６の所定領域に格納しておくものとしてもよい。
【００２６】
そして、ＰＣカード１５に記憶されている元画像を読み込んでテレビ受像機１２に表示出力するためのサイズに調整し、この調整した画像を用いてＶＲＡＭ４２の表示用画像を更新する（ステップＳ１２０）。図６は、元画像を用いて表示用画像が更新された後の１コマ表示画面１１０の一例を示す説明図である。前述したように、リサイズ画像のサイズは一般的な元画像よりも小さいサイズとなっているから、図５と図６との比較から分かるように、元画像を用いて更新された表示用画像はリサイズ画像を用いて生成された表示用画像よりも高解像度の画像となっている。図７は、ステップＳ１１０，Ｓ１２０における表示用画像の生成に関する処理を概念的に示す説明図である。図示するように、ステップＳ１１０においてはＳＤＲＡＭ３６のリサイズ画像を用いて比較的低解像度の表示用画像を生成して初期表示し、ステップＳ１２０においてはＰＣカード１５の元画像を用いて比較的高解像度の表示用画像に更新する。一般にＳＤＲＡＭ３６などのメモリへのアクセスはＰＣカード１５などの外部記憶装置へのアクセスよりも高速であるから、まず高速で低解像度の画像を初期表示してから次に高解像度の画像に更新するのである。
【００２７】
このように指定された画像が１コマ表示されている状態で、リモコン９０の「拡大／縮小」ボタンや４方向ボタンが押されると、押されたボタンの種類に応じて画像を拡大／縮小して表示したり表示位置を移動したりする表示領域変更処理を実行する（ステップＳ１３０，Ｓ１４０）。以下、図８に例示する表示領域変更処理について説明する。
【００２８】
説明の容易のために、図９に例示する１コマ表示画面１１０のように画像表示領域１１２に画像が拡大表示されている状態を考える。図１０に例示するように図９の１コマ表示画面１１０の画像表示領域１１２に拡大表示されている部分を画像全体に対する表示領域と考えると、画像の拡大表示は表示領域の縮小に該当し、画像の縮小表示は表示領域の拡大に該当し、表示位置の移動は表示領域の移動に該当する。まず、画像の表示位置を移動する場合の表示領域変更処理について説明し、次に、画像を拡大／縮小する場合について説明する。
【００２９】
表示領域変更処理では、まず、図８に示すように、変更後の表示領域のうち変更前の表示領域と重複する重複領域に相当する部分を現在ＶＲＡＭ４２に書き込まれている表示用画像から抽出する処理を実行する（ステップＳ２００）。図１１は、表示位置を下方向に移動する場合（リモコン９０の下方向ボタンが押された場合）における、変更前の表示領域と変更後の表示領域との関係を示す説明図である。図示するように、表示位置を下方向に移動する場合には予め設定された距離だけ表示領域が下方向に移動し、変更後の表示領域は、変更前の表示領域と重複する重複領域（図中、変更後表示領域の上部）と変更前の表示領域と重複しない非重複領域（図中、変更後表示領域の下部）とに分けて考えることができる。このうち、重複領域に相当する部分をＶＲＡＭ４２の表示用画像から抽出するのである。
【００３０】
そして、変更後の表示領域のうち、非重複領域に相当する部分をＳＤＲＡＭ３６のリサイズ画像から抽出し（ステップＳ２１０）、このリサイズ画像から抽出した部分（非重複領域に相当する部分）とステップＳ２００で表示用画像から抽出した部分（重複領域に相当する部分）とを合成することにより変更後の表示領域に対応する表示用画像を生成してＶＲＡＭ４２に書き込んで（ステップＳ２２０）、この表示領域変更処理を終了する。図１２は、こうした変更後の表示領域に対応する表示用画像の生成に関する処理を概念的に示す説明図である。図示するように、変更後の表示領域のうち重複領域についてはＶＲＡＭ４２の表示用画像から抽出して位置を調整して用いると共に非重複領域についてはＳＤＲＡＭ３６のリサイズ画像から抽出してサイズを調整して用いて変更後の表示領域に対応する表示用画像を生成している。ＶＲＡＭ４２やＳＤＲＡＭ３６は高速にアクセスすることができるから、変更後の表示領域に対応する表示用画像を比較的高速に生成して表示することができるのである。図１３は、表示領域変更処理を実行した後の１コマ表示画面１１０の一例を示す説明図である。図示するように、リサイズ画像から抽出した部分は低解像度の画像となっており、表示用画像から抽出した部分は高解像度の画像となっている。なお、変更後の表示領域に対応する表示用画像を合成する際には、変更後の表示領域全体に相当する部分をリサイズ画像から抽出してＶＲＡＭ４２上に描画した上で、重複領域に相当する部分をＶＲＡＭ４２上に重ねて描画することにより、非重複領域に相当する部分と重複領域に相当する部分とを合成した表示用画像として生成することもできる。
【００３１】
次に、画像を拡大／縮小する場合について説明する。図１４は、画像を縮小する場合（リモコン９０の「縮小」ボタンが押された場合）における、変更前の表示領域と変更後の表示領域との関係を示す説明図である。図示するように、画像を縮小する場合には予め設定された倍率に従って表示領域が大きくなり、変更後の表示領域は、前述した表示位置を移動する場合と同様に、重複領域（図中、変更後表示領域の内側部）と非重複領域（図中、変更後表示領域の外側部）とに分けて考えることができる。したがって、表示位置を移動する場合と同様に、表示領域変更処理では、重複領域に相当する部分をＶＲＡＭ４２に書き込まれている表示用画像から抽出すると共に非重複領域に相当する部分をＳＤＲＡＭ３６のリサイズ画像から抽出し（ステップＳ２００，２１０）、これらを合成して変更後の表示領域に対応する表示用画像を生成してＶＲＡＭ４２に書き込むことになる（ステップＳ２２０）。変更後の表示領域に対応する表示用画像を合成する際には、重複領域についてはＶＲＡＭ４２の表示用画像から抽出してサイズを調整（縮小）して用いると共に非重複領域についてはＳＤＲＡＭ３６のリサイズ画像から抽出してサイズを調整して用いる。こうして表示領域変更処理を実行することにより、図１５に例示する１コマ表示画面１１０が表示出力される。なお、画像を拡大する場合については、変更後の表示領域全体が重複領域となるから（図１６参照）、ＶＲＡＭ４２の表示用画像から変更後の表示領域に相当する部分を抽出すると共にサイズを調整（拡大）してＶＲＡＭ４２に書き込むことになる。
【００３２】
図３の１コマ印刷処理の説明に戻る。こうして表示領域変更処理を実行すると、ステップＳ１２０の処理に戻り、ＰＣカード１５に記憶されている元画像を用いてＶＲＡＭ４２の表示用画像を更新する。ステップＳ１２０の処理については前述した。図１７は、図１５の状態からステップＳ１２０の処理が実行された後の１コマ表示画面１１０の一例を示す説明図である。図示するように、元画像を用いて更新することによりリサイズ画像を用いて生成された低解像度の部分が高解像度の画像となっている。このように、表示領域を変更する場合には、まず表示領域変更処理により低解像度の画像と高解像度の画像を合成した表示用画像を高速に生成して表示してから、次に低解像度の部分を高解像度の画像に更新するのである。
【００３３】
そして、１コマ表示画面１１０が表示出力されている状態でリモコン９０の「印刷」ボタンが押されると、印刷処理を実行して（ステップＳ１５０）、この１コマ印刷処理を終了する。印刷処理は、所定の設定用画面をテレビ受像機１２に表示出力して印刷枚数や印刷用紙の設定を行なったりＰＣカード１５などから画像ファイルを読み込んで印刷用紙に印刷したりする処理である。こうした処理は、一般的なインクジェットプリンタにおける処理と同様であり、本発明の中核をなさないから、これ以上の詳細な説明は省略する。
【００３４】
以上説明した実施例の印刷装置２０によれば、表示領域の変更（画像の拡大／縮小表示や表示位置の移動）の際に、変更後の表示領域のうち変更前の表示領域と重複する重複領域についてはＶＲＡＭ４２に書き込まれている表示用画像から相当する部分を抽出すると共に変更前の表示領域と重複しない非重複領域についてはＳＤＲＡＭ３６のリサイズ画像から相当する部分を抽出し、これらを合成して変更後の表示領域に対応する表示用画像を生成してＶＲＡＭ４２に書き込むことができる。したがって、表示領域を変更する際にＶＲＡＭ４２の表示用画像とＳＤＲＡＭ３６のリサイズ画像とを用いて変更後の表示領域に対応する表示用画像を生成するから、ＰＣカード１５の元画像を読み込んで用いる場合と比較して高速に表示用画像を生成することができ、ＳＤＲＡＭ３６のリサイズ画像のみを用いる場合と比較して高解像度の表示用画像を生成することができる。この結果、小さなメモリ容量で画像の表示をより適切に行なうことができる。また、生成した表示用画像をＰＣカード１５に記憶されている元画像を用いて更新するから、表示用画像全体のうちリサイズ画像を用いて生成した低解像度の部分を高解像度の画像に更新することができる。
【００３５】
ここで、実施例の印刷装置２０では、ＳＤＲＡＭ３６がリサイズ画像記憶手段に相当し、ＶＲＡＭ４２が表示用画像記憶手段に相当し、ビデオチップ４０が表示出力手段に相当し、ステップＳ１４０の表示領域変更処理を実行するメイン制御ユニット３２が領域変更時制御手段に相当し、ステップＳ１２０の処理を実行するメイン制御ユニット３２が表示用画像更新手段に相当し、ステップＳ１５０の印刷処理を実行するメイン制御ユニット３２やモータドライバ４４，ヘッド用ＤＡＣ４６などが印刷実行手段に相当する。
【００３６】
実施例の印刷装置２０では、変更後の表示領域のうち重複領域については現在の表示用画像から相当する部分を抽出すると共に非重複領域についてはリサイズ画像から相当する部分を抽出して合成するものとしたが、現在の表示用画像とリサイズ画像とを用いて変更後の表示領域に対応する表示用画像を生成するものであれば、その他の方法で生成するものとしても構わない。
【００３７】
実施例の印刷装置２０では、表示領域の変更として、表示領域の縮小（画像の拡大表示）や表示領域の拡大（画像の縮小表示）、表示領域の移動（表示位置の移動）を例示したが、その他の表示領域の変更に対しても本発明を適用することができるのは勿論である。例えば、表示領域の形状を変更（例えば、矩形から円形に変更など）する場合などにも、重複領域を現在の表示用画像から抽出すると共に非重複領域をリサイズ画像から抽出し、これらを合成して変更後の表示領域に対応する表示用画像を生成すればよい。
【００３８】
実施例の印刷装置２０では、ステップＳ１２０においてＰＣカード１５に記憶されている元画像を用いてＶＲＡＭ４２の表示用画像を更新するものとしたが、こうした元画像による更新処理を行なうタイミングはこれに限られず、例えば、リモコン９０などを介して操作者から指示されたときに元画像による更新処理を行なうものとしてもよい。また、こうした元画像による更新処理を行なわないものとしても差し支えない。
【００３９】
実施例の印刷装置２０では、印刷装置本体２２の外形を高さが２０ｃｍ以下で幅が６０ｃｍ以下で奥行きが６０ｃｍ以下としたが、こうした外形に限定されるものではなく、如何なる形状をしていても構わない。
【００４０】
実施例の印刷装置２０では、側面の一方を正面２３とし、正面２３からインクカートリッジの着脱を行なったり、給排紙するものとしたが、インクカートリッジの着脱を他の部位から行なうものとしたり、給排紙を他の部位から行なうものとしても差し支えない。
【００４１】
実施例の印刷装置２０では、ビデオチップ４０からの表示出力の出力先としてケーブル１４を介して接続されたテレビ受像機１２としたが、他の如何なる表示機器を表示出力の出力先としても構わない。
【００４２】
実施例では、表示領域を変更する際に変更前の表示用画像とリサイズ画像とを用いて変更後の表示領域に対応する表示用画像を生成する本発明を印刷装置２０の形態として説明したが、テレビ受像機１２などの表示画面上への画像表示を専用に行なう画像表示出力装置の形態としたり、こうした画像表示を行なうデジタルスチルカメラやＤＶＤビデオレコーダなどの各種装置の形態とすることもできる。また、画像表示出力装置の制御方法の形態としても構わない。
【００４３】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００４４】
【図１】印刷装置２０を備える印刷システム１０の構成の概略を示す構成図。
【図２】印刷システム１０の機能ブロックを示すブロック図。
【図３】１コマ印刷処理の一例を示すフローチャート。
【図４】一覧表示画面１００の一例を示す説明図。
【図５】１コマ表示画面１１０の一例を示す説明図。
【図６】ステップＳ１２０を実行後の１コマ表示画面１１０の一例を示す説明図。
【図７】ステップＳ１１０〜Ｓ１２０の処理を概念的に示す説明図。
【図８】表示領域変更処理の一例を示すフローチャート。
【図９】１コマ表示画面１１０の拡大表示の一例を示す説明図。
【図１０】画像全体と表示領域との関係を示す説明図。
【図１１】表示位置を移動する場合の変更前後の表示領域の関係を示す説明図。
【図１２】変更後の表示領域の表示用画像の生成処理を概念的に示す説明図。
【図１３】表示領域変更処理実行後の１コマ表示画面１１０の一例を示す説明図。
【図１４】画像を縮小表示する場合の変更前後の表示領域の関係を示す説明図。
【図１５】表示領域変更処理実行後の１コマ表示画面１１０の一例を示す説明図。
【図１６】画像を拡大表示する場合の変更前後の表示領域の関係を示す説明図。
【図１７】ステップＳ１２０を実行後の１コマ表示画面１１０の一例を示す説明図。
【符号の説明】
【００４５】
１０  印刷システム、１２  テレビ受像機、１４  ケーブル、１５  ＰＣカード、１６  ＰＣ、１７  周辺機器、１９  電源、２０  印刷装置、２２  印刷装置本体、２３  正面、２４  カバー、２５  操作パネル、２６  受光部、２７  カードスロット、３０  メイン基盤、３２  メイン制御ユニット、３４  ＲＯＭ、３６  ＳＤＲＡＭ、３８  カード操作部制御ユニット、４０  ビデオチップ、４２  ＶＲＡＭ、４４  モータドライバ、４６  ヘッド用ＤＡＣ、４８  ホスト用ＵＳＢコネクタ、５０  デバイス用ＵＳＢコネクタ、６０  ＣＲモータ、６１  ＰＦモータ、６２  ポンプモータ、６３  ヘッド、６４  ＣＲエンコーダ、６５  ＰＦエンコーダ、６６  ＤＶＤトレー検出センサ、６７  用紙検出センサ、６８  用紙トレー検出センサ、６９  カバーオープンセンサ、９０  リモコン、９２  発光部、１００  一覧表示画面、１０２  一覧表示領域、１０４  操作説明領域、１１０  １コマ表示画面、１１２  画像表示領域、１１４  操作説明領域。
【図１】
2005231050.tif 000003
【図２】
2005231050.tif 000004
【図３】
2005231050.tif 000005
【図４】
2005231050.tif 000006
【図５】
2005231050.tif 000007
【図６】
2005231050.tif 000008
【図７】
2005231050.tif 000009
【図８】
2005231050.tif 000010
【図９】
2005231050.tif 000011
【図１０】
2005231050.tif 000012
【図１１】
2005231050.tif 000013
【図１２】
2005231050.tif 000014
【図１３】
2005231050.tif 000015
【図１４】
2005231050.tif 000016
【図１５】
2005231050.tif 000017
【図１６】
2005231050.tif 000018
【図１７】
2005231050.tif 000019